(57)【要約】【課題】  車両用の１−ゾーン〜４−ゾーン−空調システムの設計のためのモジュラーシステムを提供する。【解決手段】  車両用の１−ゾーン〜４−ゾーン−空調システムの設計のためのモジュラーシステムは、一ハウジング内に設けられた少なくとも１又は数個のハウジング及び数個の空気調整、空気分配装置を備える。１−ゾーン及び２−ゾーン−空調システムでは、仕切り（６）が、別の空気分配、温度ゾーンの空気出口及び空気チャネルに関連した流路を閉鎖するための数個の閉止取付け具（６．１）を更に備える。３−ゾーン及び４−ゾーン−空調システムでは、閉止取付け具（６．１）に代えて、別の空気分配、温度ゾーンの空気出口及び空気チャネルの使用のための追加のドア（５）が設けられる。【選択図】      図１
2006015995.tif 000002
【特許請求の範囲】
【請求項１】
車両用の１−ゾーン〜４−ゾーン−空調システムの設計のためのモジュラーシステムであって、少なくとも１又は数個のハウジング及び数個の空気調整、空気分配装置を備え、該空気調整、空気分配装置が、ファンと、任意的にフィルタと、エバポレータ（２）と、ヒータ（３）と、数個のドア（５）とを備え、該ドア（５）は、前記エバポレータ（２）に対して直角に配置された仕切り（６）に設けられ、全体積流量を車両左側用と車両右側用の２つの部分体積流量に分割するよう設けられ、
全ての前記空気調整、空気分配装置はハウジング内に設けられ、これにより、
ａ）１−ゾーン及び２−ゾーン−空調システムでは、前記仕切り（６）が、別の空気分配、温度ゾーンの空気出口及び空気チャネルに関連した流路を閉鎖するための数個の閉止取付け具（６．１）を備え、
ｂ）３−ゾーン及び４−ゾーン−空調システムでは、前記閉止取付け具（６．１）に代えて、別の空気分配、温度ゾーンの空気出口及び空気チャネル用の追加のドア（５）が設けられる、
モジュラーシステム。
【請求項２】
１−ゾーン及び２−ゾーン−空調システムでは、デフロスタドア（５．１）として構成されたドア（５）、温度ドア（５．２）として構成されたドア（５）、コンソールドア（５．３）として構成されたドア（５）及びリヤコンパートメントドア（５．４）として構成されたドア（５）が設けられることを特徴とする請求項１記載のモジュラーシステム。
【請求項３】
３−ゾーン及び４−ゾーン−空調システムの別の空気分配、温度ゾーンの空気出口及び空気チャネルに関し、リヤコンポートメント（５．８）のための温度ドア及び（又は）追加の出口（５．６、５．７）のための空気分配ドアが設けられることを特徴とする請求項１又は２記載のモジュラーシステム。
【請求項４】
仕切り（６）の閉止取付け具（６．１）は、仕切り（６）に着脱自在に締結され又はこの仕切りの一部として形成され、或いはこの仕切りのところに形成されることを特徴とする請求項１〜３のうちいずれか一に記載のモジュラーシステム。
【請求項５】
各ドア（５）は、互いに対称に構成され、車両左側及び車両右側のための回転軸線を備えた２つのドアウイングで構成され、各回転軸線は、その軸方向端部の付近が、関連のハウジング半部（１）の内壁及び仕切り（６）のところで支持されていることを特徴とする請求項１〜４のうちいずれか一に記載のモジュラーシステム。
【請求項６】
ドア（５）の両方のドアウイングは、互いに独立して動作できると共に互いに対して回転自在に構成されていることを特徴とする請求項５記載のモジュラーシステム。
【請求項７】
ドア（５）のドアウイングは、空気分配、温度ゾーンの数を減少させるために、仕切り（６）に設けられた開口部に通されている接続要素によって互いに結合可能に構成されていることを特徴とする請求項５記載のモジュラーシステム。
【請求項８】
ゾーンの数とは無関係に、空調システムは、同一の目的を達成する同一構成のドア（５）を備えていることを特徴とする請求項１〜７のうちいずれか一に記載のモジュラーシステム。
【請求項９】
１−ゾーン及び２−ゾーン−空調システムの仕切り（６）及び３−ゾーン及び４−ゾーン−空調システムの仕切り（６）は、閉止取付け具（６．１）の領域を除き、同一構成のものであることを特徴とする請求項１〜８のうちいずれか一に記載のモジュラーシステム。
【発明の詳細な説明】
【技術分野】
【０００１】
本発明は、請求項１の前提部分に記載された車両用の１−ゾーン〜４−ゾーン−空調システムの設計のためのモジュラーシステムに関する。
【背景技術】
【０００２】
車両の空調は、乗客の快適さの要件を満たすのに役立つだけでなく、道路交通の安全性を高めるのに役立つ。車内での温度に関する快適さは、建物の中における快適さとは極めて異なっている。車両の上半分内の窓領域の設置場所に起因して、例えば熱放射は頭領域から足領域まで劇的に変化する。
乗客室内における特に高い温度は、運転条件に関して重大であると考えられる。空気を吹き出し、清浄にし、調整し、除湿し、分配する空調システムの基本的な仕事に加えて、特別な仕事として、隙間風を無くすこと、乗客の発汗を減少させること、温度及び湿度に関して快適範囲を一定に保つことが挙げられる。
【０００３】
運転手の物理的緊張の増大に鑑みて、数人の乗客が車両内に座る場合、乗客の中には乗客個人個人にとって互いに異なる環境ゾーンを作る要望が存在する場合が多い。従来、１−ゾーン及び２−ゾーン−空調システムが車両の空調に用いられているが、３−ゾーン及び４−ゾーン−空調システム又はマルチゾーン−空調システムについて最近における開発及び導入が強いられている。
１−ゾーン及び２−ゾーン−空調システムは、車両内において利用できる設置空間に応じて対称又は非対称のコンパクトな形態を有するが、マルチゾーン−空調システムは更に車両内に分散配置されることが、かかるマルチゾーン−空調システムの固有の特徴である。かくして、空調システムは、少なくとも部分的に互いに結合された２つの空調装置から成る。フロント空調装置及びリヤ空調装置を有するかかる分散配置型マルチゾーン−空調システムは主として、最上位車種の自動車に用いられている。これら分散配置型空調システムは、非常に高価であり、広い設置空間を必要とする。更に、互いに異なる形態の空気調整、空気分配装置の製造及び在庫品保有は、多大な労力を必要とし、したがって、その結果として製造費が相当高くなる。
【発明の開示】
【発明が解決しようとする課題】
【０００４】
上述の理由で、これらマルチゾーン−空調システムは、コンパクトな又は小型の自動車には見受けられない。
本発明の目的は、狭い設置空間にも関わらず、顧客にとって所望の空気分配、温度ゾーンを数に応じて特に効果的に製造できるコンパクトなマルチゾーン−空調システムを開発することにある。
【課題を解決するための手段】
【０００５】
本発明によれば、車両用の１−ゾーン〜４−ゾーン−空調システムの設計のためのモジュラーシステムであって、たった１つのハウジング、ハウジング内に配置された数個の空気調整、空気案内及び空気分配装置を有し、空気調整、空気案内及び空気分配装置が、ファン、数個のチャネル、任意的にフィルタ、エバポレータ、ヒータ並びにエバポレータに対して直角に配置された仕切りのところに設けられ、全体積流量を車両左側と車両右側のための２つの部分体積流量に分割するよう設けられた数個のドアを含むモジュラーシステムが提供される。
【０００６】
全ての空気調整、空気分配装置は、ハウジング内に設けられ、それにより、１−ゾーン及び２−ゾーン−空調システムでは、仕切りは、別の空気分配、温度ゾーンの空気出口及び空気チャネルに関連した流路を閉鎖するための数個の閉止取付け具を更に備える。３−ゾーン及び４−ゾーン−空調システムでは、閉止取付け具に代えて、別の空気分配、温度ゾーンの空気出口及び空気チャネルの使用のための追加のドアが設けられる。
【０００７】
１−ゾーン及び２−ゾーン−空調システムでは、デフロスタドア、温度ドア、コンソールドア及びリヤコンパートメントドアが、ドアとして用いられる。しかしながら、３−ゾーン及び４−ゾーン−空調システムでは、別の空気分配、温度ゾーンの空気出口及び空気チャネルに関し、リヤコンパートメントについては温度ドア、リヤコンパートメントについては空気分配ドア及び追加の出口については空気分配ドアが設けられる。
【０００８】
本発明の技術的思想は又、互いに異なる空気分配、温度ゾーンに給気する個数が追加され又は少ないドアが用いられる場合にも維持される。
本発明の意味するところによれば、蒸発器及び場合によっては追加のＰＴＣ発熱体を備えたヒータは、空気調整装置と呼ばれ、空調システム内に設けられていて空調システムと空気出口との間に位置するチャネルは、空気分配装置と呼ばれ、全てのドア、例えば換気及び温度ドアは、空気案内装置と呼ばれる。
【０００９】
このように本発明は、１−ゾーン−空調システムを一段と改良して別の空気案内装置により完成状態になるマルチゾーン−空調システムを開発するために既存のハウジングを用いている。本発明のマルチゾーン−空調システムは、仕切りだけが交換され、幾つかのドアが追加され、空気調整装置、例えば蒸発器は変わらないままであるようにして構成される。
【００１０】
本発明の顕著な利点は、１−ゾーン〜４−ゾーン−空調システムのモジュラー設計に関し、相当多くの数の同一の空気調整、空気分配装置を用いることができ、したがって、部品の多様性及び予備の部品の貯蔵を技術の現状と比較してかなり減少させることができるようになるということにある。
【００１１】
本発明の別の利点は、今や全ての空気調整、空気分配装置が計器パネルの下の範囲内で一ハウジング内に配置され、これにより、一方においては空調システムのハウジングの製造がかなり単純化され、他方、本発明のマルチゾーン−空調システムが設置空間が狭い車両にも適するようになるということにある。
したがって、空調システムのゾーンの形態とは無関係に、ハウジングは、完全に同一に形作られる。空調システムの特定のゾーン形態に関し、潜在的な顧客の期待に応えるために、工場で仕切りに結合されたほんの僅かな数の空気案内装置が追加され又は取り除かれる。
【００１２】
マルチゾーン−空調システムのハウジングは、３つのハウジング部分、即ち、車両左側及び車両右側について互いに本質的に対称の形態をした２つのハウジング半部及び両方のハウジング半部の下に配置された水抜きハウジングを有する。両方のハウジング半部は、仕切りを案内すると共にこれを保持し、この仕切りは、組立て状態では両方の側部にヒータに対し直角に配置される。
【００１３】
１−ゾーン及び２−ゾーン−空調システムの仕切りは、１−ゾーン及び２−ゾーン−空調システムの仕切りが閉止取付け具に加えて、ドア軸受を更に有し、３−ゾーン及び４−ゾーン−空調システムが閉止取付け具に代えて、追加のドアのための別のドア軸受を備えているという点において３−ゾーン及び４−ゾーン−空調システムの仕切りとは異なっている。
【００１４】
これら閉止取付け具は、仕切りに着脱自在に締結され又はこの仕切りの一部として形成され、或いはこの仕切りのところに形成される。閉止取付け具は、チャネル又は開口部を閉鎖することができる。本発明の技術的思想によれば、閉止取付け具は好ましくは、ウイング状に形作られ、仕切りの開始部から左及び右ハウジング半部の各々内へ延びている。
【００１５】
３−ゾーン及び４−ゾーン−空調システムを構成するため、本発明の技術的思想に従って、別の空気分配装置が、乗客コンパートメント内のフロント及びリヤ領域について互いに異なる環境ゾーンを作るために仕切りのところに配置される。空気の出口流速度の制限手段の形態で快適調節を別途可能にするためにコンソール快適ドアが用いられる。
かくして、１−ゾーン及び２−ゾーン−空調システムの仕切りと３−ゾーン及び４−ゾーン−空調システムの仕切りは、閉止取付け具領域を除き同一に形作られる。
【００１６】
ハウジングの内壁のところに設けられた相補形状の停止部は、全ての空気分配装置に割り当てられる。空気分配装置の閉鎖状態に必要な停止部は、非常に僅かな間違った循環流が閉鎖流路に入るように形作られる。停止部との接触領域では、空気分配装置は適切には、密封リップ又はこれに類似した密封要素を備える。
【００１７】
全てのドアは、互いに対称に構成され、車両左側及び車両右側のための回転軸線を備えた２つのドアウイングで構成される。両方のドアウイングの回転軸線は、これらの軸方向端部の付近が、関連のハウジング半部の内壁及び仕切りのところで支持される。
したがって、ドアの両方のドアウイングは、互いに独立して動作できると共に互いに対して回転自在に構成される。空気分配、温度ゾーンの数を減少させるため、ドアのドアウイングの両方を連結要素により互いに結合するのがよい。この結合は、仕切りの開口部に通された連結要素が両方のドアウイングに連結されるような仕方の設計により実現される。
【００１８】
さらに、ゾーンの数とは無関係に、空調システムは、同一の目的を達成する同一構成のドアを備えていることが特に有利である。これは、中央温風／冷風調節に用いられる温度ドアを１−ゾーン−空調システム及び４−ゾーン−空調システムにも使用できることを意味している。この場合、本発明の上述の利点は、複数の同一の部品を用いることにより、製造方法及びロジスティクスを非常に効率的に設計できるので当業者には特に明らかになる。
【００１９】
１−ゾーン及び２−ゾーン−空調システムでは、閉止取付け具は、３−ゾーン及び４−ゾーン−空調システムの空気出口に給気するのに必要な空気分配システムの空気チャネル、即ちリヤの列をなす座席の給気のためのチャネルの流路を閉鎖する。したがって、３−ゾーン及び４−ゾーン−空調システムでは、空気出口に給気するよう働く全ての空気出口及び空気チャネルは、閉鎖されない。しかしながら、１−ゾーン−空調システムを構成するため、ドアの選択されたドアウイングは、空気分配、温度ゾーンを減少させるために、上記連結要素に結合される。
【００２０】
上述のマルチゾーン−空調システムを冷媒回路で用いられる冷媒とは無関係に作動させることができる。
さらに、本発明のマルチゾーン−空調システムは、可変冷媒体積流量方式の水側温度制御及び一定の冷媒体積流量方式の空気側温度制御に適している。
【００２１】
技術の現状と比較した場合の本発明の顕著な特徴及び利点は本質的に次の通りである。  −１−ゾーン〜４−ゾーン−空調システムの空気調整、空気分配装置が、一ハウジング内に設置されるように構成できること。
−特にコンパクトであって、費用効果がよいこと。
−マルチゾーン−空調システムの構成に関し、１−ゾーン−空調システムを基準として、仕切りを交換すること、新たな仕切りのところに別のドアを設けること、連結要素によってドアのドアウイングを互いに結合することが必要なだけである。
【００２２】
本発明の別の特徴及び利点は、関連の図面を参照して好ましい実施形態についての以下の詳細な説明から当業者には明らかになろう。
【発明を実施するための最良の形態】
【００２３】
注目されるべきこととして、ハウジング半部１の両方の形態は本質的に対称なので、図１及び図３に示された断面においては、関連の空気調整、空気案内及び空気分配装置を備えたハウジングのハウジング半部１が１つだけ示されている。
【００２４】
図１は、１−ゾーン及び２−ゾーン−空調システムの断面を示しており、ハウジング壁の２重線は、ハウジング半部１に相当している。空気調整装置として、エバポレータ２、ヒータ３及びＰＴＣ発熱体４が設けられている。これら空気調整装置は、流れ方向に次々に配置され、図２に明瞭に示されるように、それぞれ互いに平行に且つハウジングの長手方向延長部又はハウジング半部１に対して平行に整列している。図示していない仕切り６のところには、中央温度ドア５．２、デフロスタドア５．１、コンソールドア５．３及びリヤコンパートメントドア５．４が配置されている。参照符号６．１が付けられた閉止取付け具は、上方部分において、図３に示すコンソール出口を閉鎖し、ハウジング半部１の下方部分において、図３に示すデフロスタ出口及びリヤ暖房のための流路を閉じている。
【００２５】
図２は、それぞれハウジング又はハウジング半部１が除かれた状態の１−ゾーン及び２−ゾーン−空調システムの斜視図である。参照符号６が付けられた仕切りは、ヒータ３（図示せず）及びＰＴＣ発熱体４（図示せず）が仕切り６に直角に配置された大きな開口部及び小さな開口部を備えている。仕切り６の左側（見る人にとって）フロント側の領域には、図１に示すエバポレータ２が設けられている。図示のように、仕切り６は、数個のウイング状閉止取付け具６．１を備え、これら閉止取付け具は、仕切り６のところに形成され、左側及び右側ハウジング半部内へ延びている。これら閉止取付け具６．１は、それぞれ左側及び右側ハウジング半部１について１対ずつ設けられており、１−ゾーン及び２−ゾーン−空調システムにとっては不要な流路を閉じている。仕切り６に直角にドア５が位置決めされており、各ドアは、互いに対称に構成された左側及び右側ドアウイングを備えている。ドアウイングは、図示していない調節要素によって所要の位置に到達するよう調節可能である。
【００２６】
好ましい調節要素として電子制御アクタが設けられている。最も簡単な場合では、調節要素は手動動作可能である。１−ゾーン及び２−ゾーン−空調システム用のドア５の群は、中央温度ドア５．２に加えて、デフロスタドア５．１、コンソールドア５．３及びリヤコンパートメントドア５．４を有している。ドア５のドアウイングは各々、その回転軸線（指示されているに過ぎない）によって支持されると共に案内され、それにより各回転軸線は、ハウジング半部１と仕切り６との間に延びている。回転軸線の軸方向端部並びに仕切り６及びハウジング半部１の内壁のところの相補形状の支持箇所は、共通軸受として構成されている。当業者にとって明らかなこととして、ドア５が対称の形態になっていると共に空調システムの両方のハウジング半部１が好ましくは対称の形態になっているので、回転軸線の長さは等しい。
【００２７】
本発明によれば、２つのハウジング半部１を含む既存のハウジングは又、図４の斜視図に示されているように３−ゾーン及び４−ゾーン−空調システムにも使用できる。この空調システムの基本的構造は、上述の１−ゾーン及び２−ゾーン−空調システムの基本的構造と本質的に同一である。仕切り６の形態及びここではドア軸受を備えたネット状に示されたドア５の使用個数に差がある。追加のドア５として、リヤコンパートメント暖房のためのリヤコンパートメントドア５．５、コンソール快適ドア５．６、デフロスタバイパスドア５．７及び温度ドア５．８が設けられる。これらドア５．５〜５．８は、図２に示された閉止取付け具６．１が関連の流路を閉鎖する箇所に配置される。原理的には、１−ゾーン及び２−ゾーン−空調システムの仕切り６としての仕切り６は、対称に形作られたコンパクトなコンポーネントとしてのものであり、したがって、２つのハウジング半部１（図示せず）相互間の中間で更に支持される。全てのドア５は又ここでは、互いに独立して調節可能な２つのドアウイングから成る。
【００２８】
３−ゾーン及び４−ゾーン−空調システムの図３の断面図で互いに対する個々のドア５の配置状態を理解できる。この場合も又、空調システムの基本的構造は、図１のものに一致しており、それにより閉止取付け具６．１に代えて、空調３〜４ゾーンへのリヤコンパートメント暖房について、今や更にリヤコンパートメントドア５．５、コンソール快適ドア５．６、デフロスタバイパスドア５．７及び温度ドア５．８が用いられる。図示の例では、８つのドア５が用いられることが分かる。
【００２９】
本発明は、ドアの限定された数には制約されない。これとは異なり、本発明の本質は、空調システムの単一のコンパクトなハウジング形態内にできるだけ多くの同一コンポーネントを用いることができるようにすることを目的としている。
【図面の簡単な説明】
【００３０】
【図１】１−ゾーン及び２−ゾーン−空調システムの断面図である。
【図２】ハウジングを除いた状態の１−ゾーン及び２−ゾーン−空調システムの斜視図である。
【図３】３−ゾーン及び４−ゾーン−空調システムの断面図である。
【図４】ハウジングを除いた状態の３−ゾーン及び４−ゾーン−空調システムの斜視図である。
【符号の説明】
【００３１】
１  ハウジング半部
２  エバポレータ
３  ヒータ
４  ＰＴＣ発熱体
５．１  デフロスタドア
５．２  中央温度ドア
５．３  コンソールドア
６．１  閉止取付け具
【図１】
2006015995.tif 000003
【図２】
2006015995.tif 000004
【図３】
2006015995.tif 000005
【図４】
2006015995.tif 000006